【手続補正書】
【提出日】平成16年1月19日(2004.1.19)
【手続補正１】
【補正対象書類名】明細書
【補正対象項目名】特許請求の範囲
【補正方法】変更
【補正の内容】
【特許請求の範囲】
【請求項１】
光記録媒体に形成されたピットに光学ピックアップからレーザー光を照射して反射光を検出することにより情報信号を再生する光情報再生装置における、線密度の異なる上記光記録媒体を判別する光記録媒体判別装置であって、
上記光記録媒体に対する上記光学ピックアップからの上記レーザー光のフォーカスサーボおよびトラッキングサーボのうち、少なくとも上記フォーカスサーボをかけるサーボ手段と、
上記光記録媒体を回転させる駆動手段と、
上記光記録媒体から上記光学ピックアップにより上記情報信号を再生する再生手段と、
上記駆動手段による上記光記録媒体を所定回数回転させる期間において、上記再生手段により再生された情報信号の２値化信号をカウントするカウント手段と、
上記カウント手段によるカウント値に応じた値と所定の基準値とを比較する比較手段と、
を備え、上記比較手段の結果に応じて光記録媒体の種類を判断することを特徴とする光記録媒体判別装置。
【請求項２】
光記録媒体に形成されたピットに光学ピックアップからレーザー光を照射して反射光を検出することにより情報信号を再生する光情報再生装置における、線密度の異なる上記光記録媒体を判別する光記録媒体判別装置であって、
上記光記録媒体に対する上記光学ピックアップからの上記レーザー光のフォーカスサーボおよびトラッキングサーボのうち、少なくとも上記フォーカスサーボをかけるサーボ手段と、
上記光記録媒体を速度一定で回転させる駆動手段と、
上記光記録媒体から上記光学ピックアップにより上記情報信号を再生する再生手段と、
予め定められた一定時間において、上記再生手段により再生された情報信号の２値化信号をカウントするカウント手段と、
上記カウント手段によるカウント値に応じた値と所定の基準値とを比較する比較手段と、
を備え、上記比較手段の結果に応じて光記録媒体の種類を判断することを特徴とする光記録媒体判別装置。
【請求項３】
請求項１又は２に記載の光記録媒体判別装置において、
上記再生手段は、上記光記録媒体上の所定の位置にほぼ同じである光学ピックアップの位置において、上記情報信号を再生することを特徴とする光記録媒体判別装置。
【請求項４】
請求項２記載の光記録媒体判別装置において、
上記光記録媒体の記録密度の差が大きいときは、
上記駆動手段は予め定められた一定電圧で上記光記録媒体を回転させ、
上記カウント手段はその後に別に定められた一定時間において、上記再生手段により再生された情報信号の２値化信号をカウントすることを特徴とする光記録媒体判別装置。
【請求項５】
請求項１記載の光記録媒体判別装置において、
上記駆動手段は回転速度一定であり、
上記カウント手段は上記再生手段により再生された情報信号の２値化信号のカウントの間隔をカウントすることを特徴とする光記録媒体判別装置。
【請求項６】
光記録媒体に形成されたピットに光学ピックアップからレーザー光を照射して反射光を検出することにより情報信号を再生する光情報再生方法における、線密度の異なる上記光記録媒体を判別する光記録媒体判別方法であって、
上記光記録媒体を回転させる駆動処理と、
回転された上記光記録媒体に対する上記光学ピックアップからの上記レーザー光のフォーカスサーボおよびトラッキングサーボのうち、少なくとも上記フォーカスサーボをかけるサーボ処理と、
上記光記録媒体から上記光学ピックアップにより上記情報信号を再生する再生処理と、
上記駆動処理による上記光記録媒体を所定回数回転させる期間において、上記再生処理により再生された情報信号の２値化信号をカウントするカウント処理と、
上記カウント処理によるカウント値に応じた値と所定の基準値とを比較する比較処理と、
を用いて、上記比較処理の結果に応じて光記録媒体の種類を判断することを特徴とする光記録媒体判別方法。
【請求項７】
光記録媒体に形成されたピットに光学ピックアップからレーザー光を照射して反射光を検出することにより情報信号を再生する光情報再生方法における、線密度の異なる上記光記録媒体を判別する光記録媒体判別方法であって、
上記光記録媒体を速度一定で回転させる駆動処理と、
上記光記録媒体に対する上記光学ピックアップからの上記レーザー光のフォーカスサーボおよびトラッキングサーボのうち、少なくとも上記フォーカスサーボをかけるサーボ処理と、
上記光記録媒体から上記光学ピックアップにより上記情報信号を再生する再生処理と、
予め定められた一定時間において、上記再生処理により再生された情報信号の２値化信号をカウントするカウント処理と、
上記カウント処理によるカウント値に応じた値と所定の基準値とを比較する比較処理と、
を用いて、上記比較処理の結果に応じて光記録媒体の種類を判断することを特徴とする光記録媒体判別方法。
【請求項８】
請求項６又は７に記載の光記録媒体判別方法において、
上記再生処理は、上記光記録媒体上の所定の位置にほぼ同じである光学ピックアップの位置において、上記情報信号を再生することを特徴とする光記録媒体判別方法。
【請求項９】
請求項７記載の光記録媒体判別方法において、
上記光記録媒体の記録密度の差が大きいときは、
上記駆動処理において予め定められた一定電圧で上記光記録媒体を回転させ、
上記カウント処理においてその後に別に定められた一定時間において、上記再生処理により再生された情報信号の２値化信号をカウントすることを特徴とする光記録媒体判別方法。
【請求項１０】
請求項６記載の光記録媒体判別方法において、
上記駆動処理は回転速度一定であり、
上記カウント処理は上記再生により再生された情報信号の２値化信号のカウントの間隔をカウントすることを特徴とする光記録媒体判別方法。
【手続補正２】
【補正対象書類名】明細書
【補正対象項目名】０００８
【補正方法】変更
【補正の内容】
【０００８】
【課題を解決するための手段】
かかる課題を解決するため本発明の光記録媒体判別装置は、光記録媒体に形成されたピットに光学ピックアップからレーザー光を照射して反射光を検出することにより情報信号を再生する光情報再生装置における、線密度の異なる上記光記録媒体を判別する光記録媒体判別装置であって、上記光記録媒体に対する上記光学ピックアップからの上記レーザー光のフォーカスサーボおよびトラッキングサーボのうち、少なくとも上記フォーカスサーボをかけるサーボ手段と、上記光記録媒体を回転させる駆動手段と、上記光記録媒体から上記光学ピックアップにより上記情報信号を再生する再生手段と、上記駆動手段による上記光記録媒体を所定回数回転させる期間において、上記再生手段により再生された情報信号の２値化信号をカウントするカウント手段と、上記カウント手段によるカウント値に応じた値と所定の基準値とを比較する比較手段と、を備え、上記比較手段の結果に応じて光記録媒体の種類を判断するものである。


【手続補正３】
【補正対象書類名】明細書
【補正対象項目名】０００９
【補正方法】変更
【補正の内容】
【０００９】
また、本発明の光記録媒体判別方法は、光記録媒体に形成されたピットに光学ピックアップからレーザー光を照射して反射光を検出することにより情報信号を再生する光情報再生方法における、線密度の異なる上記光記録媒体を判別する光記録媒体判別方法であって、上記光記録媒体を回転させる駆動処理と、回転された上記光記録媒体に対する上記光学ピックアップからの上記レーザー光のフォーカスサーボおよびトラッキングサーボのうち、少なくとも上記フォーカスサーボをかけるサーボ処理と、上記光記録媒体から上記光学ピックアップにより上記情報信号を再生する再生処理と、上記駆動処理による上記光記録媒体を所定回数回転させる期間において、上記再生処理により再生された情報信号の２値化信号をカウントするカウント処理と、上記カウント処理によるカウント値に応じた値と所定の基準値とを比較する比較処理と、を用いて、上記比較処理の結果に応じて光記録媒体の種類を判断するものである。


【手続補正４】
【補正対象書類名】明細書
【補正対象項目名】００１０
【補正方法】変更
【補正の内容】
【００１０】
本発明の光記録媒体判別装置によれば、以下の作用をする。
駆動手段は、光記録媒体を回転駆動させる。サーボ手段は、光記録媒体に対する光学ピックアップからのレーザー光のフォーカスサーボおよびトラッキングサーボのうち、少なくともフォーカスサーボをかける。再生手段は、光記録媒体から光学ピックアップにより情報信号を再生する。


【手続補正５】
【補正対象書類名】明細書
【補正対象項目名】００１１
【補正方法】変更
【補正の内容】
【００１１】
カウント手段は、少なくともフォーカスサーボをかけた状態で再生信号のエッジの数をカウントする。このとき、所定の光記録媒体を所定回数回転させる期間、あるいはその１／ｎ（ｎは整数）回転の期間またはｎ回転など１回転に比例した期間あたりのエッジ数をカウントする。


【手続補正６】
【補正対象書類名】明細書
【補正対象項目名】００４８
【補正方法】変更
【補正の内容】
【００４８】
上述した本実施の形態の光記録媒体判別装置は、光記録媒体としての光ディスク１に形成されたピットに光学ピックアップ４からレーザー光を照射して反射光を検出することにより情報信号を再生する光情報再生装置における、線密度の異なる光記録媒体を判別する光記録媒体判別装置であって、光記録媒体に対する光学ピックアップ４からのレーザー光のフォーカスサーボおよびトラッキングサーボのうち、少なくともフォーカスサーボをかけるサーボ手段としての２軸アクチュエータ５と、光記録媒体を回転させる駆動手段としてのスピンドルモータ２と、光記録媒体から光学ピックアップ４により情報信号を再生する再生手段としてのフォトディテクタ１３、ＲＦアンプ１６と、駆動手段による光記録媒体を所定回数回転させる期間において、再生手段により再生された情報信号の２値化信号をカウントするカウント手段としてのＲＦ２値化信号カウンター２５と、カウント手段によるカウント値に応じた値と所定の基準値とを比較する比較手段としてのＤＶＤ／ＣＤ判別部２７とを備え、比較手段の結果に応じて光記録媒体の種類を判断するようにし、また、再生手段は、光記録媒体上の所定の位置にほぼ同じである光学ピックアップの位置において、情報信号を再生するので、必ずしもトラッキングサーボをかけずにＤＶＤとＣＤのように線密度の異なる光ディスクの判別を高速で行うことができ、しかも、回路規模を小規模にすることができる。


【手続補正７】
【補正対象書類名】明細書
【補正対象項目名】００４９
【補正方法】変更
【補正の内容】
【００４９】
また、本実施の形態の光記録媒体判別装置は、上述において、駆動手段としてのスピンドルモータ２は回転速度一定であり、カウント手段としてのＲＦ２値化信号カウンター２５は予め定められた一定時間において、再生手段としてのフォトディテクタ１３、ＲＦアンプ１６により再生された情報信号の２値化信号をカウントし、また、再生手段は、光記録媒体上の所定の位置にほぼ同じである光学ピックアップの位置において、情報信号を再生するので、駆動手段に対して定電流制御方式、またはＣＡＶ方式を用いて、ＤＶＤとＣＤのように線密度の異なる光ディスクの判別を高速で行うことができる。


【手続補正８】
【補正対象書類名】明細書
【補正対象項目名】００５２
【補正方法】変更
【補正の内容】
【００５２】
また、本実施の形態の光記録媒体判別方法は、光記録媒体としての光ディスク１に形成されたピットに光学ピックアップ４からレーザー光を照射して反射光を検出することにより情報信号を再生する光情報再生方法における、線密度の異なる光記録媒体を判別する光記録媒体判別方法であって、光記録媒体を回転させる駆動処理としてのステップＳ１と、回転された光記録媒体に対する光学ピックアップ４からのレーザー光のフォーカスサーボおよびトラッキングサーボのうち、少なくともフォーカスサーボをかけるサーボ処理としてのステップＳ３と、光記録媒体から光学ピックアップ４により情報信号を再生する再生処理と、駆動処理による光記録媒体を所定回数回転させる期間において、再生処理により再生された情報信号の２値化信号をカウントするカウント処理としてのステップＳ４と、カウント処理によるカウント値に応じた値と所定の基準値とを比較する比較処理とを用いて、上記比較処理の結果に応じて光記録媒体の種類を判断するステップＳ６のようにし、また、再生処理は、光記録媒体上の所定の位置にほぼ同じである光学ピックアップの位置において、情報信号を再生するので、必ずしもトラッキングサーボをかけずにＤＶＤとＣＤのように線密度の異なる光ディスクの判別を高速で行うことができ、しかも、回路規模を小規模にすることができる。


【手続補正９】
【補正対象書類名】明細書
【補正対象項目名】００５３
【補正方法】変更
【補正の内容】
【００５３】
また、本実施の形態の光記録媒体判別方法は、上述において、駆動処理としてのステップＳ１は回転速度一定であり、カウント処理としてのステップＳ４は予め定められた一定時間において、再生処理により再生された情報信号の２値化信号をカウント、また、再生処理は、光記録媒体上の所定の位置にほぼ同じである光学ピックアップの位置において、情報信号を再生するので、駆動処理に対して定電流制御方式、またはＣＡＶ方式を用いて、ＤＶＤとＣＤのように線密度の異なる光ディスクの判別を高速で行うことができる。


【手続補正１０】
【補正対象書類名】明細書
【補正対象項目名】００５６
【補正方法】変更
【補正の内容】
【００５６】
【発明の効果】
本発明の光記録媒体判別装置は、光記録媒体に形成されたピットに光学ピックアップからレーザー光を照射して反射光を検出することにより情報信号を再生する光情報再生装置における、線密度の異なる上記光記録媒体を判別する光記録媒体判別装置であって、上記光記録媒体に対する上記光学ピックアップからの上記レーザー光のフォーカスサーボおよびトラッキングサーボのうち、少なくとも上記フォーカスサーボをかけるサーボ手段と、上記光記録媒体を回転させる駆動手段と、上記光記録媒体から上記光学ピックアップにより上記情報信号を再生する再生手段と、上記駆動手段による上記光記録媒体を所定回数回転させる期間において、上記再生手段により再生された情報信号の２値化信号をカウントするカウント手段と、上記カウント手段によるカウント値に応じた値と所定の基準値とを比較する比較手段とを備え、上記比較手段の結果に応じて光記録媒体の種類を判断するようにし、また、上記再生手段は、上記光記録媒体上の所定の位置にほぼ同じである光学ピックアップの位置において、上記情報信号を再生するので、必ずしもトラッキングサーボをかけずにＤＶＤとＣＤのように線密度の異なる光ディスクの判別を高速で行うことができ、しかも、回路規模を小規模にすることができるという効果を奏する。


【手続補正１１】
【補正対象書類名】明細書
【補正対象項目名】００５７
【補正方法】変更
【補正の内容】
【００５７】
また、本発明の光記録媒体判別装置は、上述において、上記駆動手段は回転速度一定であり、上記カウント手段は予め定められた一定時間において、上記再生手段により再生された情報信号の２値化信号をカウントし、また、上記再生手段は、上記光記録媒体上の所定の位置にほぼ同じである光学ピックアップの位置において、上記情報信号を再生するので、駆動手段に対して定電流制御方式、またはＣＡＶ方式を用いて、ＤＶＤとＣＤのように線密度の異なる光ディスクの判別を高速で行うことができるという効果を奏する。


【手続補正１２】
【補正対象書類名】明細書
【補正対象項目名】００６０
【補正方法】変更
【補正の内容】
【００６０】
また、本発明の光記録媒体判別方法は、光記録媒体に形成されたピットに光学ピックアップからレーザー光を照射して反射光を検出することにより情報信号を再生する光情報再生方法における、線密度の異なる上記光記録媒体を判別する光記録媒体判別方法であって、上記光記録媒体を回転させる駆動処理と、回転された上記光記録媒体に対する上記光学ピックアップからの上記レーザー光のフォーカスサーボおよびトラッキングサーボのうち、少なくとも上記フォーカスサーボをかけるサーボ処理と、上記光記録媒体から上記光学ピックアップにより上記情報信号を再生する再生処理と、上記駆動処理による上記光記録媒体を所定回数回転させる期間において、上記再生処理により再生された情報信号の２値化信号をカウントするカウント処理と、上記カウント処理によるカウント値に応じた値と所定の基準値とを比較する比較処理とを用いて、上記比較処理の結果に応じて光記録媒体の種類を判断するようにし、また、上記再生処理は、上記光記録媒体上の所定の位置にほぼ同じである光学ピックアップの位置において、上記情報信号を再生するので、必ずしもトラッキングサーボをかけずにＤＶＤとＣＤのように線密度の異なる光ディスクの判別を高速で行うことができ、しかも、回路規模を小規模にすることができるという効果を奏する。


【手続補正１３】
【補正対象書類名】明細書
【補正対象項目名】００６１
【補正方法】変更
【補正の内容】
【００６１】
また、本発明の光記録媒体判別方法は、上述において、上記駆動処理は回転速度一定であり、上記カウント処理は予め定められた一定時間において、上記再生処理により再生された情報信号の２値化信号をカウントし、また、上記再生処理は、上記光記録媒体上の所定の位置にほぼ同じである光学ピックアップの位置において、上記情報信号を再生するので、駆動処理に対して定電流制御方式、またはＣＡＶ方式を用いて、ＤＶＤとＣＤのように線密度の異なる光ディスクの判別を高速で行うことができるという効果を奏する。